(57)【要約】      （修正有）【課題】表フィルムと汚れ防止用フィルムを帯状に熱溶着して従来のカットテープを省略でき、生産効率を向上し、袋の開封が容易で、見栄えがよく商品価値を高める。【解決手段】重ね合わされた表フィルム３と裏フィルム４の両側縁部７，７及び先細部６の根本部９が熱溶着され、反先細部側が食品挿入口となる開口部１２とされる袋本体２と、該袋本体２の内部に設けられる汚れ防止用フィルム５を具備する食品包装用袋において、前記汚れ防止用フィルム５は、幅方向中央部にて幅方向に直角方向に帯状に表フィルムと熱溶着され、該帯状の熱溶着部８の両側に２条のミシン目状切り込み１０，１０が設けられるとともに、先細部側６の表フィルム３に前記ミシン目状切り込み１０，１０と平行して開封用切り込み１１，１１を設ける。開封用切り込み１１，１１の先端部を摘み部とし、表フィルム３を合成樹脂延伸フィルムとすることが好ましい。【選択図】図１
2006131271.tif 000002
【特許請求の範囲】
【請求項１】
重ね合わされた表フィルムと裏フィルムの両側縁部及び先細部の根本部が熱溶着され、反先細部側が食品挿入口となる開口部とされる袋本体と、該袋本体の内部に設けられる汚れ防止用フィルムを具備する食品包装用袋において、前記汚れ防止用フィルムは、幅方向中央部にて幅方向に直角方向に帯状に表フィルムと熱溶着され、該帯状の熱溶着部の両側に２条のミシン目状切り込みが設けられるとともに、先細部側の表フィルムに前記ミシン目状切り込みと平行して開封用切り込みを設けることを特徴とするサンドイッチ等食品包装用袋。
【請求項２】
前記先細部の先端部を熱溶着して、該熱溶着部と前記先細部の根本部の熱溶着部との中間に、前記開封用切り込みの先端部を摘み部として設けることを特徴とする請求項１記載のサンドイッチ等食品包装用袋。
【請求項３】
少なくとも前記表フィルムが合成樹脂延伸フィルムからなることを特徴とする請求項１又は２記載のサンドイッチ等食品包装用袋。
【発明の詳細な説明】
【技術分野】
【０００１】
本発明は、サンドイッチ等食品包装用袋であって、より詳細には、表フィルムと汚れ防止用フィルムを帯状に熱溶着して従来のカットテープを省略でき、袋の開封が容易で、商品価値を高めることができるサンドイッチ等食品包装用袋に関するものである。
【背景技術】
【０００２】
従来、サンドイッチ等食品包装用袋としては、一般に、図４〜５（特許文献１）に示すように、袋にサンドイッチを入れた状態の背面部に相当する裏フィルム１２０に逆Ｕ字状の切り込み線１２３があり、この切り込み線の内側が舌片状摘み１２４となり、この舌片状摘みから開口部近辺までカットテープ１０３が貼り付けられている。一方、サンドイッチの斜め切り口部に面する表フィルム１１０の内側に汚れ防止用フィルムが熱溶着されている（図示せず）。
【０００３】
【特許文献１】特開２００４−２４４０７１号公報  図５〜７
【発明の開示】
【発明が解決しようとする課題】
【０００４】
前述のように従来のサンドイッチ用袋は、表フィルムの内側に汚れ防止用フィルムを熱溶着し、裏フィルムの内側にカットテープを貼着するという二度手間がかかり、また、通常、サンドイッチを包装した状態の背面部に相当する裏フィルムの外側、即ち、舌片状摘みの下方に品質表示や消費期限などを印刷したラベルを貼り付けている。従って、袋を開封する際に、舌片状摘みを下方に引っ張ったときに、前記カットテープがラベルに当たり、無理に引っ張るとカットテープが切断し、或いは切断方向がずれる等してスムーズな開封が妨げられるという問題があった。
【０００５】
本願発明は、表フィルムの内側に汚れ防止用フィルムを熱溶着し、裏フィルムの内側にカットテープを貼り付けるという二度手間がかからないで生産効率のよいサンドイッチ等食品包装用袋を提供することを第一の課題とし、更に、袋を開封する際に、舌片状摘みを下方に引っ張ったときに、前記カットテープがラベルに当たり、カットテープが切断し、或いは切断方向がずれる等してスムーズな開封が妨げられないようにするサンドイッチ等食品包装用袋を提供することを第二の課題とするものである。
【課題を解決するための手段】
【０００６】
本発明は、前記の課題を解決するために、本発明は、重ね合わされた表フィルムと裏フィルムの両側縁部及び先細部の根本部が熱溶着され、反先細部側が食品挿入口となる開口部とされる袋本体と、該袋本体の内部に設けられる汚れ防止用フィルムを具備する食品包装用袋において、前記汚れ防止用フィルムは、幅方向中央部にて幅方向に直角方向に帯状に表フィルムと熱溶着され、該帯状の熱溶着部の両側に２条のミシン目状切り込みが設けられるとともに、先細部側の表フィルムに前記ミシン目状切り込みと平行して開封用切り込みを設けることを特徴とするサンドイッチ等食品包装用袋とする（請求項１）。
【０００７】
また、前記の課題を解決するために、本発明は、前記先細部の先端部を熱溶着して、該熱溶着部と前記先細部の根本部の熱溶着部との中間に、前記開封用切り込みの先端部を摘み部として設けることを特徴とする前記のサンドイッチ等食品包装用袋とすることが好ましい（請求項２）。
【０００８】
また、前記の課題を解決するために、本発明は、少なくとも前記表フィルムが合成樹脂延伸フィルムからなることを特徴とする前記のサンドイッチ等食品包装用袋とすることが好ましい（請求項３）。
【発明の効果】
【０００９】
本発明のサンドイッチ等食品包装用袋によれば、前記のように表フィルムと汚れ防止用フィルムを帯状に熱溶着して従来のカットテープが不要となり、カットテープを貼り付ける手間が省略できるので、生産効率を格段に向上する。その上、開封面が表示ラベルの貼着面と反対面である表面側に設けられるので、表示ラベルに邪魔されることなくスムーズに開封することができるという利点がある。また、汚れ防止用フィルムによってサンドイッチ等食品の内容物が表フィルムに付着して汚れることを防止する効果を奏するばかりでなく、従来のカットフィルムが透明性に欠けるのに対して、本発明に係る食品包装用袋の帯状の熱溶着部はフィルムの透明性が損なわれることがなく、袋の内容物をより透視できて見栄えがよく、商品価値を高める効果を奏する。
【発明を実施するための最良の形態】
【００１０】
本発明を実施するための最良の形態について、以下に詳細に説明する。図１は、本発明の第一の実施の形態にかかるサンドイッチ等食品包装用袋の一例を示した正面図であり、図２は、本発明の第二の実施の形態にかかるサンドイッチ等食品包装用袋の一例を示した正面図である。本図において、同一名称については共通の符号を付することとする。
【００１１】
図１において、１は、前記食品包装用袋であって、重ね合わされた表フィルム３と裏フィルム４の両側縁部７，７及び先細部６の根本部９が熱溶着され、反先細部側が食品挿入口となる開口部１２とされる袋本体２と、該袋本体２の内部に設けられる汚れ防止用フィルム５とを具備し、前記汚れ防止用フィルム５は、幅方向中央部にて幅方向に直角方向に帯状に表フィルムと熱溶着され、該帯状の熱溶着部８の両側に２条のミシン目状切り込み１０，１０が設けられるとともに、先細部側６の表フィルム３に前記ミシン目状切り込み１０，１０と平行して開封用切り込み１１，１１が設けられてなる。
【００１２】
この実施の形態における食品包装用袋１の材質は、特に限定されるものではないが、袋内部のサンドイッチ等食品が外部から透視できるように、透明の合成樹脂製のフィルムから構成され、特に表フィルム３は、この食品包装用袋１を開封する際に、摘み部１３を下方に引っ張ったときに、表フィルム３が開封用切り込み１１，１１の延長線に沿って引き裂かれる必要がある。そのために、表フィルム３は、合成樹脂製の延伸フィルム、例えば、二軸延伸ポリプロピレンフィルム（ＯＰＰ）を使用することが好ましい。ＯＰＰは、分子が一軸乃至二軸方向に配向しており、切り込みがあるとそこから容易に引き裂くことができるので本発明の食品包装用袋に適している。
【００１３】
前記先細部６において、表フィルム３は、汚れ防止用フィルム５のミシン目状切り込み１０，１０とほぼ平行して開封用切り込み１１，１１が設けられており、摘み部１３は、前記帯状の熱溶着部８によって表フィルム３と汚れ防止用フィルム５が互いに熱溶着されているので、摘み部１３を下方に引っ張れば、表フィルム３と汚れ防止用フィルム５が一体となって根本部９で裏フィルム４から剥離し、更に帯状の熱溶着部８が、恰もカットフィルムのように作用して、汚れ防止用フィルム５の２条のミシン目状切り込みに沿って引き裂かれて、食品包装用袋１を容易に開封することができるのである。
【００１４】
次に、本発明の第二の実施の形態にかかるサンドイッチ等食品包装用袋について説明する。図２に示すように、この実施の形態における食品包装用袋１は、第一の実施の形態にかかるサンドイッチ等食品包装用袋において、袋本体２の先細部６の先細先端部１６を熱溶着して封止すること、及びこの熱溶着部と前記先細部の根本部９の熱溶着部との中間に、前記開封用切り込み１１の先端部を摘み部１３として設けること、以外は第一の実施の形態にかかるサンドイッチ等食品包装用袋と同様である。
【００１５】
本発明の第一の実施の形態にかかるサンドイッチ等食品包装用袋を製造するには、先ず、汚れ防止用フィルム用の長尺フィルムに、その幅方向のほぼ中央部に適宜離間する２条のミシン目状切り込み１０，１０を形成し、適宜長さに切断して汚れ防止用フィルム５とする。次に、適宜幅の表フィルム用の長尺フィルムの片面に前記の汚れ防止用フィルム５を重ね合わせて、２条のミシン目状切り込み１０，１０の中間を加熱刃（溶着刃）によって帯状に熱用着すると同時に、汚れ防止用フィルム５の下端部１４を熱溶着して係止する。帯状熱溶着部８の幅は加熱刃（溶着刃）の幅によって決まり、この幅は、通常開封する際の摘み易さや強度を考慮して、３〜１０ｍｍの範囲が好ましい。
【００１６】
更に、先細部６の表フィルム及び汚れ防止用フィルムに、２条のミシン目状切り込み１０，１０に沿って切り込み加工を施し、開封用切り込み１１，１１を形成する。ミシン目状切り込みは、複数の切り出しカッターを所定間隔で固定した装置にフィルムを通すか、丸鋸状のカッターを使用する。次に、前記表フィルムの汚れ防止用フィルム５が熱溶着されている面に裏フィルムを重ね合わせ、袋本体２の両側縁部７，７を加熱刃（溶断刃）及び先細部６の根本部９を加熱刃（溶着刃）によって、それぞれ熱溶着して食品包装用袋１を得る。
【００１７】
次に、本発明の第二の実施の形態にかかるサンドイッチ等食品包装用袋を製造するには、前記第一の実施の形態にかかるサンドイッチ等食品包装用袋の製造において、先細部６の表フィルム及び汚れ防止用フィルムに、切り込み加工するとともに、前記開封用切り込み１１，１１の先端部に逆Ｕ状の摘み部１３を形成する工程と、先細部６の根本部９を加熱刃（溶着刃）によって、それぞれ熱溶着するとともに、先細先端部１６を熱溶着する工程と、を具備する以外は第一の実施の形態にかかるサンドイッチ等食品包装用袋の製造と同様にして食品包装用袋１を得る。
【００１８】
また、前記熱溶着の加熱方法として、電熱により、又はハイ・フリーカンシー・インダクション・ヒーティング（high-frequency induction heating）により加熱刃自体を加熱する方法以外に、塩化ビニル樹脂等の材料は高周波ウエルダー加熱による方法、オレフィン系樹脂等の材料は超音波加熱による方法によって、プラスチックフィルムをゲル化温度ないし溶融温度に加熱して溶着乃至溶断することによっても同様の目的を達成する。加熱温度は、用いる熱可塑性樹脂の種類に応じてその樹脂のゲル化温度ないし溶融温度、加熱時間を考慮して適宜の温度を選択することが好ましい。加工温度が低過ぎるとフィルムが溶融せず、また、温度が高すぎると溶融したフィルムが粘着性を有し加熱刃に付着し易いからである。また、食品包装用袋１は、一個ずつ加工する以外に、ロール状の表フィルム３に汚れ防止用フィルム５を帯状に熱溶着し、更にこの上にロール状の裏フィルム４を重ねて熱溶断する工程を一連の機械作業によって製造してもよい。
【実施例】
【００１９】
前記第一の実施の形態及び第二の実施の形態にかかるサンドイッチ等食品包装用袋をそれぞれ２０枚ずつ作成して実験した。フィルムは、表フィルム３、裏フィルム４、及び汚れ防止用フィルム５とも０．０３ｍｍのＯＰＰフィルムを使用した。帯状熱溶着部８の幅は４ｍｍとした。それぞれのサンドイッチ等食品包装用袋について５人のモニタによって、摘み部１３を下方に引っ張って袋の開封のし易さを実験した結果、何れの袋についても、ミシン目状切り込み１０に沿って真っ直ぐに引き裂かれ、頗る開封性に優れていることが確認された。次に、前記袋でサンドイッチを包装し、外観を目視により観察したところ、帯状熱溶着部８も含め全体に透明で、内容物がよく透視でき見栄えがよかった。
【００２０】
図３は、前記実施例により得た第二の実施の形態に係るサンドイッチ等食品包装用袋１にサンドイッチを包装した斜視図であり、開口部を折り畳んで封止するとともに背面部に表示ラベル１５を貼着した状態を示す。図３示すように、摘み部１３が表面に向き、表示ラベル１５が背面部にあるので、袋を開封する際に摘み部１３を下方に引っ張っても表示ラベル１５に邪魔されることはなく、スムーズに開封することができる。また、逆にサンドイッチの斜辺部が裏フィルム４に当接するようにサンドイッチを袋に挿入し、背面部に摘み部１３がくるようにすることも可能である。また、食品包装用袋は、サンドイッチ以外におにぎり等他の食品包装用にも利用できることは言うまでもない。
【産業上の利用可能性】
【００２１】
本発明に係るサンドイッチ等食品包装用袋は、従来のこの種の食品包装用袋に使用されているカットテープを省略できて、製造の作業効率が向上し、しかも袋の開封が容易で、商品価値を高めることができることから極めて有用なものである。
【図面の簡単な説明】
【００２２】
【図１】本発明の第一の実施の形態係るサンドイッチ等食品包装用袋を例示した正面図である。
【図２】本発明の第二の実施の形態係るサンドイッチ等食品包装用袋を例示した正面図である。
【図３】本発明の第二の実施の形態に係るサンドイッチ等食品包装用袋にサンドイッチを包装した状態の斜視図である。
【図４】従来の食品包装用袋の正面図である。
【図５】従来の食品包装用袋であって、サンドイッチを包装した状態の斜視図である。
【符号の説明】
【００２３】
１：食品包装用袋、２：袋本体、３：表フィルム、４：裏フィルム、５：汚れ防止用フィルム、６：先細部、７：側縁部、８：帯状熱溶着部、９：根本部、１０：ミシン目状切り込み、１１：開封用切り込み、１２：開口部、１３：摘み部、１４：下端部、１５：表示ラベル、１６：先細先端部
【図１】
2006131271.tif 000003
【図２】
2006131271.tif 000004
【図３】
2006131271.tif 000005
【図４】
2006131271.tif 000006
【図５】
2006131271.tif 000007